(57)【要約】【課題】ユーザが墨発生量をCMYK全空間において指定する際の自由度を向上させることのできる墨定義ファイル生成装置等を提供すること。【解決手段】CMY各色の網点面積率が等しいn個の等量格子点における墨(K)値と、当該n個の墨(K)値に基づいて、CMYのうち予め設定された2色の網点面積率が等しい格子点における墨(K)値を算出するためのn^2個のパラメータをユーザに指定させる。ユーザにより指定された情報を基に、予め設定された2色以外の1色毎に、2色の網点面積率が等しい格子点における墨(K)値と当該2色の網点面積率が異なる格子点における墨(K)値を決定する。こうして得られた墨(K)値が含まれる墨定義ファイルを生成し、デバイスリンクプロファイルに反映させる。【選択図】図１５
2014007582.tif 000002
【特許請求の範囲】
【請求項１】
CMYK各色の網点面積率をn階調に分けることによりn^4個の格子点を持つデバイスリンクプロファイルにおけるデスティネーション側の墨(K)値を定義する墨定義ファイルを生成する墨定義ファイル生成装置であって、
CMY各色の網点面積率が等しいn個の等量格子点における墨(K)値をユーザに指定させるための墨(K)値指定画面を表示部に表示させる第１表示制御手段と、
前記墨(K)値指定画面にて指定されたn個の等量格子点における墨(K)値を取得する第１取得手段と、
前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御手段と、
前記パラメータ指定画面にて指定されたn^2個のパラメータを取得する第２取得手段と、
CMYのうち前記予め設定された2色以外の1色の階調毎に、前記第１取得手段により取得された墨(K)値と、前記第２取得手段により取得されたパラメータとに基づいて、前記2色の網点面積率が等しい格子点における墨(K)値を算出する算出手段と、
前記1色の階調毎に、前記第１取得手段により取得された墨(K)値と、前記算出手段により算出された墨(K)値に基づいて、前記2色の網点面積率が異なる格子点における墨(K)値を決定する決定手段と、
前記第１取得手段により取得された墨(K)値と、前記算出手段により算出された墨(K)値と、前記決定手段により決定された墨(K)値を含む前記墨定義ファイルを生成する生成手段と、
を備えることを特徴とする墨定義ファイル生成装置。
【請求項２】
請求項１に記載の墨定義ファイル生成装置であって、
前記決定手段は、
前記1色の階調毎に、
前記2色の網点面積率が異なる格子点を、前記2色の網点面積率が低い階調から順に、前記2色のうち少なくとも何れか1色の網点面積率が等しい格子点同士でグルーピングされたグループを特定し、
前記グルーピングをする際の基準となった基準網点面積率が低い階調のグループから順に、当該グループに属する各格子点の墨(K)値を、前記基準網点面積率と前記2色の網点面積率が等しい格子点における前記算出手段により算出された墨(K)値に基づいて決定することを特徴とする墨定義ファイル生成装置。
【請求項３】
請求項２に記載の墨定義ファイル生成装置であって、
前記決定手段は、
前記基準網点面積率が最も低いグループについては、当該グループに属する各格子点の墨(K)値として、当該基準網点面積率と前記2色の網点面積率が等しい格子点における前記第1算出手段により算出された墨(K)値を決定し、
前記基準網点面積率が最も低いグループ以外のグループについては、当該グループに属する各格子点の墨(K)値として、当該基準網点面積率と前記2色の網点面積率が等しい格子点における前記第1算出手段により算出された墨(K)値と、当該基準網点面積率より1階調高い網点面積率と前記2色の網点面積率が等しい格子点における前記第1算出手段により算出された墨(K)値と、の平均値を決定することを特徴とする墨定義ファイル生成装置。
【請求項４】
請求項１に記載の墨定義ファイル生成装置であって、
前記決定手段は、
前記1色の階調毎に、
前記2色の網点面積率が異なる格子点を、前記2色の網点面積率が高い階調から順に、前記2色のうち少なくとも何れか1色の網点面積率が等しい格子点同士でグルーピングされたグループを特定し、
前記グルーピングをする際の基準となった基準網点面積率が高い階調のグループから順に、当該グループに属する各格子点の墨(K)値を、前記基準網点面積率と前記2色の網点面積率が等しい格子点における前記算出手段により算出された墨(K)値に基づいて決定することを特徴とする墨定義ファイル生成装置。
【請求項５】
請求項４に記載の墨定義ファイル生成装置であって、
前記決定手段は、
前記基準網点面積率が最も高いグループについては、当該グループに属する各格子点の墨(K)値として、当該基準網点面積率と前記2色の網点面積率が等しい格子点における前記第1算出手段により算出された墨(K)値を決定し、
前記基準網点面積率が最も高いグループ以外のグループについては、当該グループに属する各格子点の墨(K)値として、当該基準網点面積率と前記2色の網点面積率が等しい格子点における前記第1算出手段により算出された墨(K)値と、当該基準網点面積率より1階調低い網点面積率と前記2色の網点面積率が等しい格子点における前記第1算出手段により算出された墨(K)値と、の平均値を決定することを特徴とする墨定義ファイル生成装置。
【請求項６】
請求項１乃至５の何れか一項に記載の墨定義ファイル生成装置により生成された墨定義ファイルに基づいて、デバイスリンクプロファイルを作成するデバイスリンクプロファイル作成装置であって、
ターゲット側のデバイスプロファイルと、デスティネーション側のデバイスプロファイルを取得するデバイスプロファイル取得手段と、
前記デスティネーション側のデバイスプロファイルにおける墨(K)値を前記墨定義ファイルに基づいて補正する補正手段と、
前記取得されたターゲット側のデバイスプロファイルと、前記補正されたデスティネーション側のデバイスプロファイルに基づいてデバイスリンクプロファイルを作成するデバイスリンクプロファイル作成手段と、
を備えることを特徴とするデバイスリンクプロファイル作成装置。
【請求項７】
CMYK各色の網点面積率をn階調に分けることによりn^4個の格子点を持つデバイスリンクプロファイルにおけるデスティネーション側の墨(K)値を定義する墨定義ファイルを生成する墨定義ファイル生成装置による墨定義ファイル生成方法であって、
CMY各色の網点面積率が等しいn個の等量格子点における墨(K)値をユーザに指定させるための墨(K)値指定画面を表示部に表示させる第１表示制御工程と、
前記墨(K)値指定画面にて指定されたn個の等量格子点における墨(K)値を取得する第１取得工程と、
前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御工程と、
前記パラメータ指定画面にて指定されたn^2個のパラメータを取得する第２取得工程と、
CMYのうち前記予め設定された2色以外の1色の階調毎に、前記第１取得工程により取得された墨(K)値と、前記第２取得工程により取得されたパラメータとに基づいて、前記2色の網点面積率が等しい格子点における墨(K)値を算出する算出工程と、
前記1色の階調毎に、前記第１取得工程により取得された墨(K)値と、前記算出工程により算出された墨(K)値に基づいて、前記2色の網点面積率が異なる格子点における墨(K)値を決定する決定工程と、
前記第１取得工程により取得された墨(K)値と、前記算出工程により算出された墨(K)値と、前記決定工程により決定された墨(K)値を含む前記墨定義ファイルを生成する生成工程と、
を含むことを特徴とする墨定義ファイル生成方法。
【請求項８】
CMYK各色の網点面積率をn階調に分けることによりn^4個の格子点を持つデバイスリンクプロファイルにおけるデスティネーション側の墨(K)値を定義する墨定義ファイルを生成する墨定義ファイル生成装置に含まれるコンピュータを、
CMY各色の網点面積率が等しいn個の等量格子点における墨(K)値をユーザに指定させるための墨(K)値指定画面を表示部に表示させる第１表示制御手段、
前記墨(K)値指定画面にて指定されたn個の等量格子点における墨(K)値を取得する第１取得手段、
前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御手段、
前記パラメータ指定画面にて指定されたn^2個のパラメータを取得する第２取得手段、
CMYのうち前記予め設定された2色以外の1色の階調毎に、前記第１取得手段により取得された墨(K)値と、前記第２取得手段により取得されたパラメータとに基づいて、前記2色の網点面積率が等しい格子点における墨(K)値を算出する算出手段、
前記1色の階調毎に、前記第１取得手段により取得された墨(K)値と、前記算出手段により算出された墨(K)値に基づいて、前記2色の網点面積率が異なる格子点における墨(K)値を決定する決定手段、
前記第１取得手段により取得された墨(K)値と、前記算出手段により算出された墨(K)値と、前記決定手段により決定された墨(K)値を含む前記墨定義ファイルを生成する生成手段、
として機能させることを特徴とする墨定義ファイル生成プログラム。
【発明の詳細な説明】
【技術分野】
【０００１】
本発明は、カラーマネージメントを行うためのデバイスリンクプロファイルを生成する技術分野に関する。
【背景技術】
【０００２】
印刷分野において、シアンC、マゼンタM、イエローYの３色の有彩色で表現される色の一部または全部を、無彩色である墨Kで補完する手法としてGCR（Gray Component Replacement）、UCR（Under Color Removal）、アクロマチックなどが知られている。ところが、一般的に、これらの手法は、直接網点面積率上又はデバイスの信号値の空間でなされるため、測色的な精度が不十分であるとされる（特許文献１参照）。
【０００３】
これに対し、特許文献１には、分解３原色（C、M、Y）をあらかじめ決定した変換式でCMYK値を決定した後、この組合せで再現される色の三刺激値を予測し、予測された色（デスティネーション）と再現させる色（ターゲット）の色差が最も小さくなるようにCMYKを決定する方法がとられている。この方法によれば、測色的な精度が向上できることが予想できる。
【先行技術文献】
【特許文献】
【０００４】
【特許文献１】特許第４３１６０２２号公報
【発明の概要】
【発明が解決しようとする課題】
【０００５】
ところが、特許文献１の技術では、ユーザが墨発生量をCMYK全空間において指定する際の自由度が低いという問題がある。
【０００６】
本発明は、このような問題等に鑑みて為されたもので、ユーザが墨発生量をCMYK全空間において指定する際の自由度を向上させることのできる墨定義ファイル生成装置等を提供することを課題とする。
【課題を解決するための手段】
【０００７】
上記課題を解決するために、請求項１に記載の発明は、CMYK各色の網点面積率をn階調に分けることによりn^4（「^」は累乗を示す。n^4：nの4乗）個の格子点を持つデバイスリンクプロファイルにおけるデスティネーション側の墨(K)値を定義する墨定義ファイルを生成する墨定義ファイル生成装置であって、CMY各色の網点面積率が等しいn個の等量格子点における墨(K)値をユーザに指定させるための墨(K)値指定画面を表示部に表示させる第１表示制御手段と、前記墨(K)値指定画面にて指定されたn個の等量格子点における墨(K)値を取得する第１取得手段と、前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御手段と、前記パラメータ指定画面にて指定されたn^2個のパラメータを取得する第２取得手段と、CMYのうち前記予め設定された2色以外の1色の階調毎に、前記第１取得手段により取得された墨(K)値と、前記第２取得手段により取得されたパラメータとに基づいて、前記2色の網点面積率が等しい格子点における墨(K)値を算出する算出手段と、前記1色の階調毎に、前記第１取得手段により取得された墨(K)値と、前記算出手段により算出された墨(K)値に基づいて、前記2色の網点面積率が異なる格子点における墨(K)値を決定する決定手段と、前記第１取得手段により取得された墨(K)値と、前記算出手段により算出された墨(K)値と、前記決定手段により決定された墨(K)値を含む前記墨定義ファイルを生成する生成手段と、を備えることを特徴とする。
【０００８】
請求項２に記載の発明は、請求項１に記載の墨定義ファイル生成装置であって、前記決定手段は、前記1色の階調毎に、前記2色の網点面積率が異なる格子点を、前記2色の網点面積率が低い階調から順に、前記2色のうち少なくとも何れか1色の網点面積率が等しい格子点同士でグルーピングされたグループを特定し、前記グルーピングをする際の基準となった基準網点面積率が低い階調のグループから順に、当該グループに属する各格子点の墨(K)値を、前記基準網点面積率と前記2色の網点面積率が等しい格子点における前記算出手段により算出された墨(K)値に基づいて決定することを特徴とする。
【０００９】
請求項３に記載の発明は、請求項２に記載の墨定義ファイル生成装置であって、前記決定手段は、前記基準網点面積率が最も低いグループについては、当該グループに属する各格子点の墨(K)値として、当該基準網点面積率と前記2色の網点面積率が等しい格子点における前記第1算出手段により算出された墨(K)値を決定し、前記基準網点面積率が最も低いグループ以外のグループについては、当該グループに属する各格子点の墨(K)値として、当該基準網点面積率と前記2色の網点面積率が等しい格子点における前記第1算出手段により算出された墨(K)値と、当該基準網点面積率より1階調高い網点面積率と前記2色の網点面積率が等しい格子点における前記第1算出手段により算出された墨(K)値と、の平均値を決定することを特徴とする。
【００１０】
請求項４に記載の発明は、請求項１に記載の墨定義ファイル生成装置であって、前記決定手段は、前記1色の階調毎に、前記2色の網点面積率が異なる格子点を、前記2色の網点面積率が高い階調から順に、前記2色のうち少なくとも何れか1色の網点面積率が等しい格子点同士でグルーピングされたグループを特定し、前記グルーピングをする際の基準となった基準網点面積率が高い階調のグループから順に、当該グループに属する各格子点の墨(K)値を、前記基準網点面積率と前記2色の網点面積率が等しい格子点における前記算出手段により算出された墨(K)値に基づいて決定することを特徴とする。
【００１１】
請求項５に記載の発明は、請求項４に記載の墨定義ファイル生成装置であって、前記決定手段は、前記基準網点面積率が最も高いグループについては、当該グループに属する各格子点の墨(K)値として、当該基準網点面積率と前記2色の網点面積率が等しい格子点における前記第1算出手段により算出された墨(K)値を決定し、前記基準網点面積率が最も高いグループ以外のグループについては、当該グループに属する各格子点の墨(K)値として、当該基準網点面積率と前記2色の網点面積率が等しい格子点における前記第1算出手段により算出された墨(K)値と、当該基準網点面積率より1階調低い網点面積率と前記2色の網点面積率が等しい格子点における前記第1算出手段により算出された墨(K)値と、の平均値を決定することを特徴とする。
【００１２】
請求項６に記載の発明は、請求項１乃至５の何れか一項に記載の墨定義ファイル生成装置により生成された墨定義ファイルに基づいて、デバイスリンクプロファイルを作成するデバイスリンクプロファイル作成装置であって、ターゲット側のデバイスプロファイルと、デスティネーション側のデバイスプロファイルを取得するデバイスプロファイル取得手段と、前記デスティネーション側のデバイスプロファイルにおける墨(K)値を前記墨定義ファイルに基づいて補正する補正手段と、前記取得されたターゲット側のデバイスプロファイルと、前記補正されたデスティネーション側のデバイスプロファイルに基づいてデバイスリンクプロファイルを作成するデバイスリンクプロファイル作成手段と、を備えることを特徴とする。
【００１３】
請求項７に記載の発明は、CMYK各色の網点面積率をn階調に分けることによりn^4個の格子点を持つデバイスリンクプロファイルにおけるデスティネーション側の墨(K)値を定義する墨定義ファイルを生成する墨定義ファイル生成装置による墨定義ファイル生成方法であって、CMY各色の網点面積率が等しいn個の等量格子点における墨(K)値をユーザに指定させるための墨(K)値指定画面を表示部に表示させる第１表示制御工程と、前記墨(K)値指定画面にて指定されたn個の等量格子点における墨(K)値を取得する第１取得工程と、前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御工程と、前記パラメータ指定画面にて指定されたn^2個のパラメータを取得する第２取得工程と、CMYのうち前記予め設定された2色以外の1色の階調毎に、前記第１取得工程により取得された墨(K)値と、前記第２取得工程により取得されたパラメータとに基づいて、前記2色の網点面積率が等しい格子点における墨(K)値を算出する算出工程と、前記1色の階調毎に、前記第１取得工程により取得された墨(K)値と、前記算出工程により算出された墨(K)値に基づいて、前記2色の網点面積率が異なる格子点における墨(K)値を決定する決定工程と、前記第１取得工程により取得された墨(K)値と、前記算出工程により算出された墨(K)値と、前記決定工程により決定された墨(K)値を含む前記墨定義ファイルを生成する生成工程と、を含むことを特徴とする。
【００１４】
請求項８に記載の発明は、CMYK各色の網点面積率をn階調に分けることによりn^4個の格子点を持つデバイスリンクプロファイルにおけるデスティネーション側の墨(K)値を定義する墨定義ファイルを生成する墨定義ファイル生成装置に含まれるコンピュータを、CMY各色の網点面積率が等しいn個の等量格子点における墨(K)値をユーザに指定させるための墨(K)値指定画面を表示部に表示させる第１表示制御手段、前記墨(K)値指定画面にて指定されたn個の等量格子点における墨(K)値を取得する第１取得手段、前記取得されたn個の墨(K)値に基づいて、CMYのうち予め設定された2色の網点面積率が等しい格子点における墨(K)値を算出するためのn^2個のパラメータをユーザに指定させるためのパラメータ指定画面を表示部に表示させる第２表示制御手段、前記パラメータ指定画面にて指定されたn^2個のパラメータを取得する第２取得手段、CMYのうち前記予め設定された2色以外の1色の階調毎に、前記第１取得手段により取得された墨(K)値と、前記第２取得手段により取得されたパラメータとに基づいて、前記2色の網点面積率が等しい格子点における墨(K)値を算出する算出手段、前記1色の階調毎に、前記第１取得手段により取得された墨(K)値と、前記算出手段により算出された墨(K)値に基づいて、前記2色の網点面積率が異なる格子点における墨(K)値を決定する決定手段、前記第１取得手段により取得された墨(K)値と、前記算出手段により算出された墨(K)値と、前記決定手段により決定された墨(K)値を含む前記墨定義ファイルを生成する生成手段、として機能させることを特徴とする墨定義ファイル生成プログラムである。
【発明の効果】
【００１５】
本発明によれば、ユーザにより指定されたCMY各色の網点面積率が等しいn個の等量格子点における墨(K)値に加え、ユーザにより指定された情報を基に、予め設定された2色以外の1色毎に、2色の網点面積率が等しい格子点における墨(K)値と当該2色の網点面積率が異なる格子点における墨(K)値を取得することができ、これらの墨(K)値が定義された墨定義ファイルが生成される。すなわち、墨発生量を規定する墨定義ファイルにおいて、ユーザがCMYK全空間において墨発生量を指定することができ、自由度を向上させることができる。
【図面の簡単な説明】
【００１６】
【図１】（Ａ）墨定義ファイルの一例を示す図である。（Ｂ）墨定義ファイルに記述される値と網点面積率の対応関係の一例を示す図である。
【図２】プロファイル生成装置１の構成を示すブロック図である。
【図３】墨定義画面１００の一例を示す図である。
【図４】墨定義グラフ２００の一例を示す図である。
【図５】墨定義グラフ２００の一例を示す図である。
【図６】（Ａ）墨定義テーブルＫＴ１（M=0%）の一例を示す図である。（Ｂ）墨定義テーブルＫＴ２（M=6.25%）の一例を示す図である。（Ｃ）墨定義テーブルＫＴ１７（M=100%）の一例を示す図である。
【図７】パラメータグラフ３００の一例を示す図である。
【図８】パラメータテーブルＰＴの一例を示す図である。
【図９】墨定義テーブルの非等量点セルにおけるK値の算出方法の一例を示す図である。
【図１０】墨定義テーブルＫＴ１を増殖させる様子を示す概念図である。
【図１１】墨定義テーブルＫＴを左に９０度回転させる様子を示す概念図である。
【図１２】１７個の墨定義テーブルＫＴを画像化したイメージＩＭを示す例図である。
【図１３】イメージＩＭを増殖させる様子を示す概念図である。
【図１４】イメージＩＭの増殖が完了した際の一例を示す図である。
【図１５】プロファイル生成装置１の制御部１１による墨定義ファイル生成処理の一例を示すフローチャートである。
【図１６】プロファイル生成装置１の制御部１１によるデバイスリンクプロファイル作成処理の一例を示すフローチャートである。
【図１７】墨定義テーブルの非等量点セルにおけるK値の算出方法の一例を示す図である。
【図１８】（Ａ）従来の手法で作成されたデバイスリンクプロファイルで印刷した画像の一例と、（Ｂ）墨定義ファイルに記述されたK値が反映されたデバイスリンクプロファイルで印刷した画像の一例を示す図である。
【発明を実施するための形態】
【００１７】
以下、図面を用いて本発明の実施形態について説明する。なお、本実施形態は、本発明をプロファイル生成装置１について適用した場合の実施形態である。
【００１８】
［１．プロファイル生成装置１の機能概要及び構成］
プロファイル生成装置１（「墨定義ファイル生成装置」、「デバイスリンクプロファイル作成装置」の一例）は、前段の処理で墨（K）の版量を定義した墨定義ファイルを生成し（「墨定義ファイル生成処理」という。）、後段の処理で、当該生成した墨定義ファイルに基づいてデバイスリンクプロファイルを作成する（「デバイスリンクプロファイル作成処理」という。）。
【００１９】
図１（Ａ）に示すように、墨定義ファイルは83521行×４列（C,M,Y,K）で構成される。本実施形態における墨定義ファイルに規定されるK値は0〜255（8ビット）の値であり、256階調の表現が可能となっている。網点面積率と256階調との関係は、0％を「0」、100％を「255」とすると、図１（Ｂ）に示す通りとなる。墨定義ファイルのK値は、デバイスリンクプロファイル作成処理にてデバイスリンクプロファイルのLUT（ルックアップテーブル）におけるデスティネーション側のK値として書き込まれる。一方、墨定義ファイルのC値、M値、Y値についてはLUTには書き込まれない。また、墨定義ファイルには、CMYKの各色について網点面積率を0%〜100%まで6.25%ずつ(17階調)変化させることによりできるそれぞれの組合せ（すなわち、17の4乗（83521）の組合せ。それぞれの組合せは、CMYの３次元の座標（網点面積率）で特定することができる格子点と考えることができる。）について、使用する墨Kの量を決定するためのK値が規定される。
【００２０】
次に、プロファイル生成装置１の構成について説明する。図２に示すように、プロファイル生成装置１は、制御部１１、記憶部１２、インターフェース部１３、表示部１４、及び操作部１５を備えている。
【００２１】
記憶部１２は、例えば、ＨＤＤ（Hard disk drive）等により構成されており、オペレーティングシステムや、アプリケーションプログラム等の各種プログラムを記憶する。特に、本実施形態の記憶部１２は、墨定義ファイルを生成するためのアプリケーションプログラム（墨定義ファイル生成アプリ）及びデバイスリンクプロファイルを生成するためのアプリケーションプログラム（プロファイル生成アプリ）を記憶する。なお、各種プログラムは、例えば、他のサーバ装置等からネットワークを介して取得されるようにしても良いし、記録媒体に記録されて外付けドライブ装置を介して読み込まれるようにしても良い。
【００２２】
インターフェース部１３は他の装置や機器との間で送受信されるデータの窓口の役割を果たす。例えば、インターフェース部１３は、測色器により測色された測色データを受け付ける。
【００２３】
表示部１４は、例えば、液晶ディスプレイ等により構成されており、オペレータがプロファイル生成装置１を操作する際の操作画面等を表示する。また、操作部１５は、例えば、キーボードやマウス等により構成されており、オペレータの操作を受け付け、操作内容を示す操作信号を制御部１１に送信する。
【００２４】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成されており、操作部１５から受信した操作信号に基づいて、オペレータの操作内容に応じた処理を行う。
【００２５】
［２．墨定義ファイル生成処理］
次に、墨定義ファイル生成処理について説明する。墨定義ファイル生成処理は、制御部１１が墨定義ファイル生成アプリを実行することにより実行される。墨定義ファイル生成処理は、大きく分けて２段階にて墨定義ファイルを生成する。具体的には、第１段階では、17階調分のCMY部（すなわち、17^3=4913点）についてK値を規定する。第２段階では、K部についての17階調をCMY部に乗算する（すなわち、CMY部をK部で拡張すること）ことにより4913×17=83521点のK値を規定する。
【００２６】
［２．１．第１段階：4913点のK値を決定］
第１段階では、表示部１４に墨定義画面１００が表示される。図３に示すように墨定義画面１００は、墨定義グラフ２００、パラメータグラフ３００及び指定完了ボタン４００を含んで構成されている。
【００２７】
図４に示すように、墨定義グラフ２００の左軸はK値の網点面積率を256階調で示し、右軸はK値の網点面積率を百分率で示している。また、墨定義グラフ２００の下軸は17点（17階調）に対応する網点面積率を百分率で示している。墨定義グラフ２００には、K値に対応する17個の墨定義ポイントＰ（Ｐ０〜Ｐ１６）が表示されており、オペレータがマウス等を用いてそれぞれの墨定義ポイントＰを上下方向に動かすことにより、K値を指定（調整）することができるようになっている。17個の墨定義ポイントＰはそれぞれC値、M値及びY値が全て等しい３色等量点におけるK値を示しており、３色等量点における網点面積率は下軸の値で表されている。例えば、下軸で「50%」と示されている位置にある墨定義ポイントＰ８は、C値、M値及びY値が全て50%である点におけるK値を示しており、オペレータは墨定義ポイントＰ８を上下方向に動かすことにより、C値、M値及びY値が全て50%である場合のK値を指定することができる。
【００２８】
また、図５に示すように、墨定義グラフ２００中には、各墨定義ポイントＰを結んだ墨定義曲線ＰＣと、各墨定義ポイントＰに基づく６次のスプライン曲線ＳＣが表示される。オペレータは、墨定義曲線ＰＣとスプライン曲線ＳＣが重なるように各墨定義ポイントＰを動かすことにより、墨定義ファイルにおけるK値の並びを滑らかにすることができる。墨定義ファイルにおけるK値の並びが滑らかでない場合には、後述するデバイスリンクプロファイル作成処理で生成したデバイスリンクプロファイルに基づいて印刷されるグラデーション画像においてトーンジャンプが発生してしまう可能性が高くなる。
【００２９】
ここで、図６を用いて、墨定義ファイル生成処理に置いて用いられる17個の墨定義テーブルＫＴについて説明する。各墨定義テーブルＫＴｎ（ｎ＝１，２，３，…、１７）は、17行×17列のテーブルになっており、一つの墨定義テーブルＫＴにつき、289点のK値が規定される。図６（Ａ）は、M=0%である場合の墨定義テーブルＫＴ１である。墨定義テーブルＫＴの上方に示す数値はC値を示しており、墨定義テーブルＫＴの左方に示す数値はY値を示している。すなわち、墨定義テーブルＫＴ１におけるセルＣ１には(C,M,Y)=(0,0,0)に対応するK値が規定される。セルＣ１に対応するK値としては、図４の墨定義ポイントＰ０に対応する値が規定される。すなわち、オペレータは墨定義ポイントＰ０を上下に操作することにより、セルＣ１に対応するK値を指定することができる。また、図６（Ｂ）に示す、M=6.25%である場合の墨定義テーブルＫＴ２におけるセルＣ２には(C,M,Y)=(6.25,6.25,6.25)に対応するK値が規定される。セルＣ２に対応するK値としては、図４の墨定義ポイントＰ１に対応する値が規定される。更に、図６（Ｃ）に示す、M=100%である場合の墨定義テーブルＫＴ１７におけるセルＣ１７には(C,M,Y)=(100,100,100)に対応するK値が規定される。セルＣ１７に対応するK値としては、図４の墨定義ポイントＰ１６に対応する値が規定される。図示しないが、図６（Ａ）、（Ｂ）、（Ｃ）に示す墨定義テーブルＫＴの他にも、M=12.50%,18.75%,25.00%,31.25%,37.50%,43.75%,50.00%,56.25%,62.50%,68.75%,75.00%,81.25%,87.50%,93.75%に対応する各墨定義テーブルＫＴｎが設けられる。そして、各墨定義テーブルＫＴｎにおいて、C値、M値及びY値が全て等しい３色等量点におけるK値が墨定義ポイントＰの示す値に基づいて規定される。なお、墨定義テーブルＫＴに規定されるK値は、基準となる網点面積率からの増加量を示している。また、各墨定義テーブルＫＴに一つだけ存在する、C値、M値及びY値が全て等しい３色等量点に対応するセル（例えば、墨定義テーブルＫＴ１におけるセルＣ１、墨定義テーブルＫＴ１７におけるセルＣ１７）を「３色等量点セル」という。さらに、本実施形態では墨定義テーブルＫＴｎ毎にM値（「予め設定された2色以外の1色」の一例）を固定して、CY（「予め設定された2色」の一例）の組合せについてK値を記述する構成としたが、C値を固定して、MYの２色の組合せについてK値を記述する構成としたり、Y値を固定して、CMの２色の組合せにK値を記述する構成としたりしてもよい。
【００３０】
次に、図７を参照してパラメータグラフ３００について説明する。パラメータグラフ３００は、図４に示した墨定義グラフ２００で指定（調整）された17点の墨定義ポイントＰ（Ｐ０〜Ｐ１６）を、4913点に拡張する際のパラメータを指定するために用いるグラフである。パラメータグラフ３００には、図６を用いて説明した１７個の各墨定義テーブルＫＴｎに対応する１７本のパラメータ曲線ＴＣが描かれている（図７においては、一部のパラメータ曲線等についてのみ符号（ＴＣ１６、ＴＣ１７、Ｔ１〜Ｔ１６）を付している）。具体的には、各パラメータ曲線ＴＣは、各墨定義テーブルＫＴｎにおけるCMY３色等量点について記述されたK値をもとに、C値及びY値が等量ずつ増えた場合のK値の増加量（倍率）を表している。例えば、図７におけるパラメータ指定ポイントＴ１は、C値及びY値が6.25%増加した場合のK値の増加量（倍率）を示している。オペレータはマウス等を用いて各点Ｔ０〜Ｔ１６を上下方向に動かすことにより、C値及びY値が等量増えた場合のK値の増加量（倍率）を指定（調整）することができるようになっている。また、換言すれば、各パラメータ曲線ＴＣは、各墨定義テーブルＫＴにおけるCY等量点（墨定義テーブルＫＴにおける左下がりの対角線上のセル）に記述されたK値に対応する点Ｔ０〜Ｔ１６（各点をパラメータ指定ポイントＴという。）を結んだ曲線ということができる。
【００３１】
ここで、図８を用いて、パラメータテーブルＰＴについて説明する。パラメータテーブルＰＴはパラメータグラフ３００と連動しており、各セルに記述されている値（倍率）はパラメータグラフ３００における各パラメータ曲線ＴＣの各パラメータ指定ポイントＴに対する操作に従って変化する。また、パラメータテーブルＰＴの各列はそれぞれパラメータ曲線ＴＣに対応しており、「17」と表記されている列はパラメータ曲線ＴＣ１７に対応し、「16」と表記されている列はパラメータ曲線ＴＣ１６に対応している。更に、「16」と表記されている列であって、「18.75」と表記されている行に位置するセル１０２に記述されている値は、パラメータ曲線ＴＣ１６上のパラメータ指定ポイントＴ３が示す値に対応している。すなわち、オペレータはマウス等を用いて各パラメータ指定ポイントＴ０〜Ｔ１６を上下方向に動かすことにより、パラメータテーブルＰＴの値を指定（調整）することができるようになっている。
【００３２】
パラメータグラフ３００において、各墨定義テーブルＫＴｎ（図６参照）に対応する各パラメータ曲線ＴＣの点Ｔ０〜Ｔ１６が指定されることにより、各墨定義テーブルＫＴｎにおける左下がりの対角線上の各セルに記述される値が定められる。具体的には、墨定義グラフ２００によりK値が指定されたセルの値に、パラメータテーブルＰＴに記述された値を乗算することにより値が定められる。例えば、図６（Ｂ）の墨定義テーブルＫＴ１のセルＣ１の値は、セルＣ２の値（すなわち、図４の墨定義ポイントＰ１が示す値）に、パラメータテーブルＰＴにおいて「16」と表記されている列であって、「0.00」と表記されている行に位置するセルＣ１０１に記述されている値（図８の例では「0」）を乗算することにより算出された値となる。また、図６（Ｂ）の墨定義テーブルＫＴ１のセルＣ４の値は、セルＣ２の値（すなわち、図４の墨定義ポイントＰ１が示す値）に、パラメータテーブルＰＴにおいて「16」と表記されている列であって、「18.75」と表記されている行に位置するセルＣ１０２に記述されている値（図８の例では「2.8」）を乗算することにより算出された値となる。なお、各墨定義テーブルＫＴに１６個存在する、C値及びY値が等しい等量点（２色等量点（CY等量点））に対応するセルであって３色等量点に該当しないセル（例えば、墨定義テーブルＫＴ１におけるセルＣ２〜Ｃ１７、墨定義テーブルＫＴ１７におけるセルＣ１〜Ｃ１６）を「２色等量点セル」という。
【００３３】
次に、図９を用いて、墨定義テーブルＫＴにおける左下がりの対角線上のセル以外のセル（「非等量点セル」という。）にどのような値が記述されるかについて説明する。上述したように、墨定義グラフ２００における各墨定義ポイントＰと、パラメータグラフ３００における各パラメータ指定ポイントＴが指定されることにより、墨定義テーブルＫＴの対角線上の３色等量点セル及び２色等量点セルに記述される値が定められる。そして、図９に示すように３色等量点セル及び２色等量点セルにそれぞれa〜qが定められている場合であれば、非等量点セルには各セル内の数式によって算出される値が記述される。なお、図９に示す数式は墨定義テーブルＫＴ１から墨定義テーブルＫＴ１７まで共通に用いることができる。このようにして、各墨定義テーブルＫＴｎの全セル（３色等量点セル、２色等量点セル及び非等量点セル）のK値（すなわち、4913個のK値）が定まる。
【００３４】
ここで、非等量点セルのK値の決定方法について簡単に説明する。図９に示すように、制御部１１は、M（「予め設定された2色以外の1色」の一例）の階調毎に、CY（「予め設定された2色」の一例）の網点面積率が異なる格子点を、CYの網点面積率が低い階調（0.00%）から順に、CYのうち少なくとも何れか1色の網点面積率が等しい格子点同士でグルーピングされたグループを特定し、このグルーピングをする際の基準となった基準網点面積率（一つ目のグループであれば0.00%）が低い階調のグループから順に、当該グループに属する各格子点の墨(K)値を、基準網点面積率とCYの網点面積率が等しい格子点（2色等量点セル）におけるK値に基づいて決定する。より具体的には、制御部１１は、基準網点面積率が最も低いグループ（基準網点面積率が0.00%のグループ）については、当該グループに属する各格子点のK値として、当該基準網点面積率とCYの網点面積率が等しい格子点におけるK値を決定する。また、基準網点面積率が最も低いグループ以外のグループ（例えば、基準網点面積率が6.25%のグループ）については、当該グループに属する各格子点のK値として、当該基準網点面積率とCYの網点面積率が等しい格子点におけるK値（図９の例ではb）と、当該基準網点面積率より1階調高い網点面積率（12.50%）とCYの網点面積率が等しい格子点におけるK値（図９の例ではc）と、の平均値（(b+c)/2）を決定する。なお、制御部１１は、図９に示すような或いは別の形式の、予めグループ毎にK値を算出するための数式が記述されたテーブルを記憶部１２から読み出して、各非等量点セルのK値を決定することとしてもよいし、プログラム中に記述された数式に基づいて、決定することとしてもよい。
【００３５】
オペレータは、図４に示す墨定義グラフ２００において17点のK値の指定（調整）が完了するとともに、図７に示すパラメータグラフ３００においてパラメータの指定（調整）が完了した場合に、指定完了ボタン４００を選択（クリック）する操作（「指定完了操作」という。）を行うようになっている。
【００３６】
［２．２．第２段階：4913点のK値を83521点に拡張］
指定完了ボタン４００が選択（クリック）されると、第２段階に移行し、各墨定義テーブルＫＴｎに規定された4913点のK値が更に拡張され、83521点のK値が取得される。具体的には、図１０に示すように、289点のK値が規定された墨定義テーブルＫＴ１に、17階調の網点面積率（1, 0.9375, 0.875, 0.8125, 0.75, 0.6875, 0.625, 0.5625, 0.5, 0.4375, 0.375, 0.3125, 0.25, 0.1875, 0.125, 0.0625, 0)をそれぞれ個別に掛け合わせることで、新たに墨定義テーブルＫＴ１−１〜ＫＴ１−１７を生成し、4913点のK値を取得する。同様の処理を、墨定義テーブルＫＴ２〜ＫＴ１７に対しても行うことで、83521(=4913点×17)点のK値を取得することができる。
【００３７】
第２段階を、イメージ図を用いて説明する。まず、図６を用いて説明した各墨定義テーブルＫＴｎを図１１に示すように左に９０度回転させ、図１２に示すように各墨定義テーブルＫＴｎをＭ値が小さい方から順に左から右に並べた状態で、墨定義テーブルＫＴ毎に、各セルに規定されたK値に基づくイメージＩＭを作成する。イメージＩＭには、各墨定義テーブルＫＴｎに規定されたK値に基づいて表現された１７個の墨定義テーブルイメージＩＭｎ（ｎ＝１、２、３、…、１７）が含まれる。つまり、イメージＩＭは、289個のK値で表現された墨定義テーブルイメージＩＭが17個示されていることから、4913（289×17）個のK値により表現されているということができる。図１２において、バツ印５１１（図１２ではＩＭ１、ＩＭ１６及びＩＭ１７についてのみ表示している。）は、それぞれ各墨定義テーブルＫＴにおける等量点セルに対応する。すなわち、バツ印５１１を結ぶ線５１２は、墨定義曲線ＰＣに対応する。一方、各イメージＩＭ内の右下がりの直線５１３（図１２では、ＩＭ７、ＩＭ１１及びＩＭ１２についてのみ表示している。）が、各パラメータ曲線ＴＣに対応する。そして、各墨定義テーブルＫＴにおける左下がりの対角線上の各セルに記述されたK値は、各ＩＭ内の直線５１３とバツ印５１１との交点を基点に算出されることとなる。また、その他のセルについては、図９を用いて上述した通り、直線５１３を基準に対称となるようにK値が算出されることとなる。
【００３８】
次いで、図１３に示すように、イメージＩＭに、17階調の網点面積率（1, 0.9375, 0.875, 0.8125, 0.75, 0.6875, 0.625, 0.5625, 0.5, 0.4375, 0.375, 0.3125, 0.25, 0.1875, 0.125, 0.0625, 0)をそれぞれ個別に掛け合わせることで、Ｋの濃度が異なるイメージＩＭを１７個作成する（図１４参照）。これにより、4913（289×17）個のK値により表現されるイメージＩＭが１７個できたことになり、83521（4913×17）個のK値を取得したこととなる。
【００３９】
なお、各墨定義テーブルＫＴ１−１〜ＫＴ１−１７、・・・、ＫＴ１７−１〜ＫＴ１７−１７の各セルには、基準となるK値からの増加量が規定されているため、制御部１１は、基準となるK値に増加量を加算することでK値の絶対値を算出する。なお、基準となるK値とは、目的となるデバイスリンクプロファイルの入力側の格子点（本実施形態では、6.25%間隔の17^4個の格子点）におけるK値を意味する。そして、制御部１１は、絶対値に変換された83521個のK値を、図１（Ａ）に示すLUTに対応する形式で記述した墨定義ファイルを生成する。
【００４０】
［２．３．フローチャート］
ここで、図１５のフローチャートを用いて、プロファイル生成装置１の制御部１１による墨定義ファイル生成処理について説明する。
【００４１】
まず、制御部１１は、図３に示した墨定義画面１００を表示部１４に表示させる（ステップＳ１）。次いで、制御部１１は、指定完了操作を検出したか否かを判定する（ステップＳ２）。このとき、制御部１１は、指定完了操作を検出したと判定したときには（ステップＳ２：ＹＥＳ）、ステップＳ７の処理に移行する。一方、制御部１１は、指定完了操作を検出していないと判定したときには（ステップＳ２：ＮＯ）、次いで、墨定義グラフ２００における墨定義ポイントＰに対する操作を検出したか否かを判定する（ステップＳ３）。このとき、制御部１１は、墨定義ポイントＰに対する操作を検出したと判定したときには（ステップＳ３：ＹＥＳ）、検出した操作に応じて、墨定義テーブルＫＴを更新し（ステップＳ４）、ステップＳ５の処理に移行する。一方、制御部１１は、墨定義ポイントＰに対する操作を検出していないと判定したときには（ステップＳ３：ＮＯ）、ステップＳ５の処理に移行する。
【００４２】
次いで、制御部１１は、パラメータグラフ３００におけるパラメータ指定ポイントＴに対する操作を検出したか否かを判定する（ステップＳ５）。このとき、制御部１１は、パラメータ指定ポイントＴに対する操作を検出したと判定したときには（ステップＳ５：ＹＥＳ）、検出した操作に応じて、墨定義テーブルＫＴを更新し（ステップＳ６）、ステップＳ２の処理に移行する。一方、制御部１１は、パラメータ指定ポイントＴに対する操作を検出していないと判定したときには（ステップＳ５：ＮＯ）、ステップＳ２の処理に移行する。
【００４３】
このように、制御部１１は、指定完了操作が検出されるまでの間、墨定義ポイントＰに対する操作及びパラメータ指定ポイントＴに対する操作に応じて、墨定義テーブルＫＴを更新する。そして、制御部１１は、指定完了操作が検出されると、それまでの間に更新された墨定義テーブルＫＴの内容に基づいて墨定義ファイルを出力する（ステップＳ７）。
【００４４】
［３．デバイスリンクプロファイル作成処理］
次に、デバイスリンクプロファイル作成処理について説明する。デバイスリンクプロファイル作成処理は、制御部１１がプロファイル生成アプリを実行することにより行われる。デバイスリンクプロファイル作成処理は、墨定義ファイル生成処理により生成された墨定義ファイルを用いて、デバイスリンクプロファイルを生成する処理である。以下、デバイスリンクプロファイル作成処理を３段階に分けて説明する。
【００４５】
［３．１．第１段階：ターゲット側及びデスティネーション側のデバイスプロファイルの作成］
デバイスリンクプロファイルを作成するために、まず、再現させるべき色（ターゲット）を印刷する印刷機Ａと、ターゲットに近い色（デスティネーション）を印刷すべきカラープリンタＢのデバイスプロファイルを作成する。ここで、ターゲット側のデバイスプロファイルを作成する手順について説明する。
（１）印刷機ＡによりCMYKチャート（例えば1000点のパッチを有するチャート）を印刷する。
（２）印刷されたCMYKチャートを測色器で測色し、L*a*b*値を取得することにより、1000点分のCMYK値とL*a*b*値の組を作成する。
（３）プロファイル生成アプリを用いて、1000点分の組を予め設定された組数分（本実施形態では、83521組分）の組に拡張することによりデバイスプロファイルを作成する。なお、1000組から83521組に拡張する際には、線形補間法を用いることができる。また、ここではターゲット側のデバイスプロファイルを印刷機Ａにより印刷したCMYKチャートを元に作成したが、JapanColorとして認証されたデバイスプロファイルをターゲット側のデバイスプロファイルとして用いることとしてもよい。
同様に、（１）で印刷機ＢによりCMYKチャートを印刷し、（２）、（３）の手順に従うことで、デスティネーション側のデバイスプロファイルを作成することができる。
なお、第１段階の処理については、従来市販のソフトウェアの一般的な機能として実現される。
【００４６】
［３．２．第２段階：墨定義ファイルに記述されたK値の反映］
次いで、デスティネーション側のデバイスプロファイルのCMYK値におけるK値に対して、墨定義ファイルに記述されたK値を反映させる手順について説明する。まず、墨定義ファイルから墨使用リストを作成する。墨定義ファイルには83521点のK値が記述されており、その値は0〜255の何れかの値を持っている。そこで、墨定義ファイルに記述されたK値から重複している値を割愛するとともに、記述されていない値を除くことでK値のみが記述された墨使用リストを作成する。すなわち、墨使用リストには最大で256個のK値が記述されることとなる。墨使用リストを作成する理由は、K値を83521点分保持したままだと、ＲＡＭの容量不足となり後続の演算を行うことができなくなる場合があるからである。
【００４７】
次いで、墨使用リストに記述された各K値について、CMY17階調分（17＾3=4913個分）のL*a*b*値を推定し、デスティネーション側のL*a*b*空間を作成する。具体的には、K値を網点面積率に変換した上で、先に作成したデスティネーション側のデバイスプロファイルに基づいてL*a*b*値を推定する。この推定は、存在する組合せの中から線形補間法を用いてL*a*b*値を算出することにより行われる。例えば、墨使用リストに記述されたK値が10個あれば、49130点（=4913点×10）のL*a*b*値を推定する。このことは、デスティネーション側のデバイスプロファイルにおけるK値を墨定義ファイルに基づいて補正することの一例に当たる。
【００４８】
［３．３．第３段階：ターゲットとデスティネーションの対応付け］
最後に、ターゲット側の83521点分のL*a*b*値と、デスティネーション側のL*a*b*空間を形成するL*a*b*値とに基づいてデバイスリンクプロファイルを作成する。具体的には、ターゲット側のL*a*b*値を一つ選択して、色差ΔEが最小となるデスティネーション側のL*a*b*値を探索し、選択したL*a*b*値に対応するCMYK値と対応付けて探索したL*a*b*値に対応するCMYK値をデバイスリンクプロファイルに書き込むという処理を、83521点分行う。これによりデバイスリンクプロファイルが完成する。
【００４９】
［３．４．フローチャート］
ここで、図１６のフローチャートを用いて、プロファイル生成装置１の制御部１１によるデバイスリンクプロファイル作成処理について説明する。なお、当該フローチャートの処理が実行される前までに、ターゲット側のデバイスプロファイル、デスティネーション側のデバイスプロファイル、及び墨定義ファイルが記憶部１２に記憶されているものとする。
【００５０】
まず、制御部１１は、記憶部１２に記憶されている墨定義ファイルに基づいて墨生成リストを作成する（ステップＳ３１）。次いで、制御部１１は、デスティネーション側のL*a*b*空間を作成する（ステップＳ３２）。
【００５１】
次に、制御部１１は、83521点あるターゲット側のL*a*b*値の中から一つのL*a*b*値を選択する（ステップＳ３３）。次いで、制御部１１は、デスティネーション側のL*a*b*空間の中から、ステップＳ３３の処理で選択したL*a*b*値と色差ΔEが最小となるL*a*b*値を探索する（ステップＳ３４）。次いで、制御部１１は、ターゲット側のCMYK値（ステップＳ３３の処理で選択したL*a*b*値と組をなすCMYK値）と、デスティネーション側のCMYK値（ステップＳ３４の処理で探索したL*a*b*値と組をなすCMYK値）を対応付けてデバイスリンクプロファイルに書き込む（ステップＳ３５）。
【００５２】
次に、制御部１１は、ステップＳ３３の処理を繰り返したことにより、ターゲット側のL*a*b*値を全て（83521点分）選択したか否かを判定する（ステップＳ３６）。このとき、制御部１１は、全て選択したと判定した場合には（ステップＳ３６：ＹＥＳ）、当該フローチャートの処理を終了する。一方、制御部１１は、全て選択していないと判定した場合には（ステップＳ３６：ＮＯ）、ステップＳ３３の処理に移行する。
【００５３】
以上説明したように、本実施形態におけるプロファイル生成装置１は、CMYK各色の網点面積率を17階調に分けることにより17^4個の格子点を持つデバイスリンクプロファイルにおけるデスティネーション側のK値（墨値）を定義する墨定義ファイルを生成する。制御部１１（「第１表示制御手段」、「第１取得手段」の一例）は、CMY各色の網点面積率が等しい17個の３色等量点セル（「等量格子点」）におけるK値をユーザに指定させるための墨定義グラフ２００（「墨(K)値指定画面」の一例）を表示部１４に表示させ、墨定義グラフ２００にて指定された17個の３色等量点セル（「等量格子点」）におけるK値を取得する。また、制御部１１は（「第２表示制御手段」、「第２取得手段」の一例）取得した17個のK値に基づいて、CY（「CMYのうち予め設定された2色」の一例）の2色等量点セル（「網点面積率が等しい格子点」）におけるK値を算出するための17^2個のパラメータをユーザに指定させるためのパラメータグラフ３００（「パラメータ指定画面」の一例）を表示部１４に表示させ、パラメータグラフ３００にて指定された17^2個のパラメータを取得する。また、制御部１１（「算出手段」、「決定手段」の一例）は、M（「CMYのうち予め設定された2色以外の1色」の一例）の階調毎に、３色等量点セルにおけるK値とパラメータに基づいて、CYの２色等量点セルにおけるK値を算出し、Mの階調毎に、３色等量点セルにおけるK値とCYの２色等量点セルにおけるK値に基づいて、非等量点セル（「CYの網点面積率が異なる格子点」）におけるK値を決定する。また、制御部１１（「生成手段」の一例）は、３色等量点セルにおけるK値と、２色等量点セルにおけるK値と、非等量点セルにおけるK値を含む墨定義ファイルを生成する。
【００５４】
また、プロファイル生成装置１（「デバイスリンクプロファイル作成装置」の一例）は、生成した墨定義ファイルに基づいて、デバイスリンクプロファイルを作成する。制御部１１（「デバイスプロファイル取得手段」、「補正手段」、「デバイスリンクプロファイル作成手段」の一例）が、ターゲット側のデバイスプロファイルと、デスティネーション側のデバイスプロファイルを取得し、デスティネーション側のデバイスプロファイルにおけるK値を墨定義ファイルに基づいて補正し、取得したターゲット側のデバイスプロファイルと、補正したデスティネーション側のデバイスプロファイルに基づいてデバイスリンクプロファイルを作成する。
【００５５】
プロファイル生成装置１によれば、ユーザにより指定されたCMY各色の網点面積率が等しい17個の３色等量点におけるK値に加え、ユーザにより指定された情報を基に、M毎に、CY2色の網点面積率が等しい２色等量点におけるK値と当該CY2色の網点面積率が異なる非等量点におけるK値を取得することができ、これらのK値が定義された墨定義ファイルが生成される。すなわち、墨発生量を規定する墨定義ファイルにおいて、ユーザがCMYK全空間において墨発生量を指定することができ、自由度を向上させることができる。
【００５６】
なお、上記実施形態では、図９に示す例に従って非等量点セルのK値の決定方法について説明したが、図１７に示す例に従って非等量点セルのK値を決定することとしてもよい。具体的には、図１７に示すように、制御部１１は、M（「予め設定された2色以外の1色」の一例）の階調毎に、CY（「予め設定された2色」の一例）の網点面積率が異なる格子点を、CYの網点面積率が高い階調（100%）から順に、CYのうち少なくとも何れか1色の網点面積率が等しい格子点同士でグルーピングされたグループを特定し、このグルーピングをする際の基準となった基準網点面積率（一つ目のグループであれば100%）、が高い階調のグループから順に、当該グループに属する各格子点の墨(K)値を、基準網点面積率とCYの網点面積率が等しい格子点（2色等量点セル）におけるK値に基づいて決定する。より具体的には、制御部１１は、基準網点面積率が最も高いグループ（基準網点面積率が100%のグループ）については、当該グループに属する各格子点のK値として、当該基準網点面積率とCYの網点面積率が等しい格子点におけるK値を決定する。また、基準網点面積率が最も低いグループ以外のグループ（例えば、基準網点面積率が93.75%のグループ）については、当該グループに属する各格子点のK値として、当該基準網点面積率とCYの網点面積率が等しい格子点におけるK値（図１７の例ではp）と、当該基準網点面積率より1階調低い網点面積率（87.50%）とCYの網点面積率が等しい格子点におけるK値（図１７の例ではo）と、の平均値（(o+p)/2）を決定する。
【００５７】
また、上記実施形態では、「CMY各色の網点面積率が等しいn個の等量格子点における墨(K)値をユーザに指定させるための墨(K)値指定画面」の一例として墨定義グラフ２００について説明したが、墨(K)値指定画面は他の形式とすることもできる。例えば、各等量格子点のK値を直接数値入力できるような墨(K)値指定画面としてもよい。
【００５８】
さらに、上記実施形態では、「CMYのうち予め設定された2色の網点面積率が等しい格子点における墨(K)値を算出するためのn^2個のパラメータをユーザに指定させるためのパラメータ指定画面」の一例としてパラメータグラフ３００について説明したが、パラメータ指定画面は他の形式とすることもできる。例えば、各パラメータを、直接数値入力できるようなパラメータ指定画面としてもよい。
【００５９】
最後に、図１８（Ａ）に従来例として、墨定義ファイルに記述されたK値が反映されていないデバイスリンクプロファイルを用いて印刷された画像を示し、図１８（Ｂ）に本実施形態の例として、墨定義ファイルに記述されたK値が反映されたデバイスリンクプロファイルを用いて印刷された画像を示す。図１８（Ａ）におけるグラデーション部分５０１Ａ〜５０５Ａと、図１８（Ｂ）におけるグラデーション部分５０１Ｂ〜５０５Ｂを比較すると、後者では前者で発生しているトーンジャンプが発生しておらず、きれいなグラデーションとなっていることが明らかである。
【符号の説明】
【００６０】
１  墨定義ファイル生成装置
１１  制御部
１２  記憶部
１３  インターフェース部
１４  表示部
１５  操作部
【図１】
2014007582.tif 000003
【図２】
2014007582.tif 000004
【図８】
2014007582.tif 000005
【図１５】
2014007582.tif 000006
【図１６】
2014007582.tif 000007
【図１７】
2014007582.tif 000008
【図３】
2014007582.tif 000009
【図４】
2014007582.tif 000010
【図５】
2014007582.tif 000011
【図６】
2014007582.tif 000012
【図７】
2014007582.tif 000013
【図９】
2014007582.tif 000014
【図１０】
2014007582.tif 000015
【図１１】
2014007582.tif 000016
【図１２】
2014007582.tif 000017
【図１３】
2014007582.tif 000018
【図１４】
2014007582.tif 000019
【図１８】
2014007582.tif 000020
【手続補正書】
【提出日】平成25年5月14日(2013.5.14)
【手続補正１】
【補正対象書類名】図面
【補正対象項目名】図４
【補正方法】変更
【補正の内容】
【図４】
2014007582.tif 000021
【手続補正２】
【補正対象書類名】図面
【補正対象項目名】図５
【補正方法】変更
【補正の内容】
【図５】
2014007582.tif 000022
【手続補正３】
【補正対象書類名】図面
【補正対象項目名】図７
【補正方法】変更
【補正の内容】
【図７】
2014007582.tif 000023
【手続補正４】
【補正対象書類名】図面
【補正対象項目名】図１４
【補正方法】変更
【補正の内容】
【図１４】
2014007582.tif 000024